【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
所定の可動演出を実行可能な可動演出手段を備えた遊技機であって、
前記可動演出手段は、少なくとも第１可動部材と第２可動部材とを有しており、
前記第１可動部材および前記第２可動部材は、それぞれ所定方向に移動可能であって、互いに離れた状態である第１状態と、互いに近接した状態である第２状態と、をとり得るものであり、
前記第２状態にて前記第１可動部材および前記第２可動部材が離反するのを防止可能に構成した
ことを特徴とする遊技機。
【請求項２】
前記第１可動部材および前記第２可動部材は、上下に対向して配されるもので、それぞれ上下方向に移動可能である
ことを特徴とする請求項１に記載の遊技機。
【請求項３】
前記第１可動部材および前記第２可動部材の一方に係合部が設けられるとともに、他方に被係合部が設けられており、
前記第２状態にて前記係合部が前記被係合部と係合することにより、前記第１可動部材および前記第２可動部材の離反が防止される
ことを特徴とする請求項１又は２に記載の遊技機。
【請求項４】
前記第２状態では、前記第１可動部材および前記第２可動部材が一体となって所定の演出動作を実行可能であり、
少なくとも前記一方の可動部材は、前記所定の演出動作の実行に際して動作可能な動作部材を有しており、
前記係合部は、前記動作部材に設けられており、前記動作部材の動作により前記被係合部と係合する
ことを特徴とする請求項３に記載の遊技機。
【請求項５】
所定の演出表示を実行可能な演出表示手段を備え、
前記第１可動部材および前記第２可動部材は、前記演出表示手段の表示領域の手前側を移動可能に構成されており、
前記第２状態では、前記第１可動部材および前記第２可動部材が前記演出表示手段の表示領域の一部を覆い隠すとともに、前記演出表示手段が演出表示を行う
ことを特徴とする請求項１から４の何れか一項に記載の遊技機。
【請求項６】
前記演出表示手段は、
前記第１状態では表示領域を一の領域として表示し、
前記第２状態では表示領域を複数の領域として表示する
ことを特徴とする請求項５に記載の遊技機。
【手続補正２】
【補正対象書類名】明細書
【補正対象項目名】０００６
【補正方法】変更
【補正の内容】
【０００６】
前述の課題を解決するために、本発明は以下の手段を採ることとした。
（１）手段１の遊技機は、
所定の可動演出を実行可能な可動演出手段を備えた遊技機であって、
前記可動演出手段は、少なくとも第１可動部材と第２可動部材とを有しており、
前記第１可動部材および前記第２可動部材は、それぞれ所定方向に移動可能であって、互いに離れた状態である第１状態と、互いに近接した状態である第２状態と、をとり得るものであり、
前記第２状態にて前記第１可動部材および前記第２可動部材が離反するのを防止可能に構成した
ことを要旨とする。
手段１の遊技機では、可動演出手段が、少なくとも、第１可動部材と第２可動部材とを有しており、当該第１可動部材および第２可動部材が近接した状態（第２状態）にて、両者が離反するのを防止し得る構成となっている。これにより、第１可動部材および第２可動部材が第２状態となった際、当該状態を維持することで見栄えを良好にすることが可能となり、延いては、質の高い可動演出を実現することが可能となる。
尚、本発明において、可動演出手段は、少なくとも、第１可動部材と第２可動部材とを有するものとしているが、例えば、第３可動部材、第４可動部材・・・といったように、３以上の可動部材を有するものであってもよい。この場合、３以上の可動部材のうち、少なくとも２つの可動部材が離反するのを防止可能としたり、３つの可動部材が互いに離反するのを防止可能としたりするなど、複数の可動部材のうち少なくとも２以上の可動部材について離反するのを防止可能とする構成をとり得る。
（２）手段２の遊技機は、上記手段１の遊技機において、
前記第１可動部材および前記第２可動部材は、上下に対向して配されるもので、それぞれ上下方向に移動可能である
ことを要旨とする。
手段２の遊技機では、第１可動部材および第２可動部材が上下に対向して配されており、それぞれが上下に移動することで、第１状態または第２状態となる。ここで、第２状態において、第１可動部材および第２可動部材のうち、特に下方に位置する可動部材は、自身の重み（自重）によって、上方に位置する可動部材から離れてしまう虞があるところ、各可動部材が離反するのを防止可能としているので、第１可動部材および第２可動部材が上下に対向する場合であっても、第２状態を維持することが可能となる。
（３）手段３の遊技機は、上記手段１又は２の遊技機において、
前記第１可動部材および前記第２可動部材の一方に係合部が設けられるとともに、他方に被係合部が設けられており、
前記第２状態にて前記係合部が前記被係合部と係合することにより、前記第１可動部材および前記第２可動部材の離反が防止される
ことを要旨とする。
手段３の遊技機では、第１可動部材および第２可動部材の一方に設けられる係合部と、他方に設けられる被係合部との係合により、第１可動部材および第２可動部材が第２状態となった際の両者の離反が防止されるものとなっている。これにより、第１可動部材および第２可動部材を第２状態に維持することの確実性を高めて、質の高い可動演出の実現に貢献することが可能となる。
（４）手段４の遊技機は、上記手段３の遊技機において、
前記第２状態では、前記第１可動部材および前記第２可動部材が一体となって所定の演出動作を実行可能であり、
少なくとも前記一方の可動部材は、前記所定の演出動作の実行に際して動作可能な動作部材を有しており、
前記係合部は、前記動作部材に設けられており、前記動作部材の動作により前記被係合部と係合する
ことを要旨とする。
手段４の遊技機では、第１可動部材および第２可動部材が第２状態となった際、両者が一体となって演出動作を行い得る。ここで、前述の係合部が設けられることとなる可動部材（一方の可動部材）には、当該演出動作の実行に際して動作可能な動作部材が含まれており、この動作部材に前述の係合部が設けられている。そして、第２状態にて第１可動部材および第２可動部材が一体となって演出動作を行うに際し、動作部材が動作することにより、係合部が被係合部と係合するものとなっている。つまり、第２状態での演出動作（第１可動部材および第２可動部材が一体の演出動作）の実行に際して、第１可動部材および第２可動部材の離反が防止される。このため、第２状態での演出動作は、第１可動部材および第２可動部材の近接（第２状態）が保たれた状態で行われることとなる。これにより、可動演出全般の見栄えを良好なものとして、演出効果を高めることが可能となる。
（５）手段５の遊技機は、上記手段１から４の何れか一つの遊技機において、
所定の演出表示を実行可能な演出表示手段を備え、
前記第１可動部材および前記第２可動部材は、前記演出表示手段の表示領域の手前側を移動可能に構成されており、
前記第２状態では、前記第１可動部材および前記第２可動部材が前記演出表示手段の表示領域の一部を覆い隠すとともに、前記演出表示手段が演出表示を行う
ことを要旨とする。
手段５の遊技機では、第１可動部材および第２可動部材が、演出表示手段の表示領域の手前側を移動し得るものとなっており、第２状態では、第１可動部材および第２可動部材が演出表示手段の表示領域の一部を覆い隠し、この状況下で演出表示が行われる。これにより、第１可動部材および第２可動部材による可動演出と、演出表示手段による演出表示とを連携させて、演出効果を高めることが可能となる。
（６）手段６の遊技機は、上記手段５の遊技機において、
前記演出表示手段は、
前記第１状態では表示領域を一の領域として表示し、
前記第２状態では表示領域を複数の領域として表示する
ことを要旨とする。
手段６の遊技機では、第１可動部材および第２可動部材が離れた状態（第１状態）にあるときは、演出表示手段の表示領域が一の領域として表示され、第１可動部材および第２可動部材が近接した状態（第２状態）にあるときは、演出表示手段の表示領域が複数の領域として表示されるものとなっている。これにより、第１状態と第２状態との状態変化による演出効果をより高めることが可能となる。